(57)【要約】【課題】本発明はクリーニング予熱の機能を有する便座上げ器を開示した。【解決手段】動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、本発明は構造が簡単で、操作が便利で、トイレを利用し終わった後、便座蓋を閉めることにより本装置を自動的に始動し、本装置はまず便座をクリーニングをし、また予熱を行い、次回の利用にきれいで暖かい便座を提供する。【選択図】図１
2020179104.tif 000002
【特許請求の範囲】
【請求項１】
正面視で、動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、前記開口溝の中には前記接触ロッドの間に位置しており、且つ前記動力装置により制御される置換装置が設置され、その中、前記置換装置の中には前記開口溝の左端内壁と回転できるように連結され、且つ左右に伸びているスプライン軸が設置され、前記開口溝の左端端面には前記スプライン軸の下側に位置しているクリーニング装置が排列して分布されており、その中、前記クリーニング装置は前記置換装置により制御され、前記置換装置がヒンジ板により水平まで回転する時、前記接触ロッドにより前記動力装置を始動し、まず前記クリーニング装置を通じてクリーニングし、また前記置換装置により予熱することを特徴とするクリーニング予熱の機能を有する便座上げ器。
【請求項２】
前記動力装置は、前記伝動チャンバの左端内壁とスライドできるように連結されており、且つ前記接触ロッドと当接しているスイッチロッドを含み、前記伝動チャンバの右端内壁には前記スイッチロッドと当接しているスライダがスライドできるように連結され、前記スライダの互いに近接している側には押圧ばねが連結され、前記スライダにはチェーンロッドがヒンジにより連結され、前記ヒンジロッドのもう一端にはリミット箱がヒンジにより連結され、前記リミット箱が前記伝動チャンバの左端内壁とスライドできるように連結され、前記リミット箱の中には左へ開口した水平移動溝が設置され、前記水平移動溝の右端の中にはモータが設置され、前記モータの左端にはネジ軸が動力が伝達できるように連結され、前記ネジ軸の左端末端には主カップリングが設置され、前記ネジ軸には前記主カップリングの右端に位置している水平移動ブロックがネジ山により連結され、力を受けて推し動かされた前記リミット箱が前記伝動チャンバから前記伝動チャンバの外部まで水平移動し、本装置を使用しない時に隠して収納することにより間違って人を傷つけることを防止することを特徴とする請求項１に記載のクリーニング予熱の機能を有する便座上げ器。
【請求項３】
前記置換装置は、前記スプライン軸に回転できるように連結されており、且つ前記接触ロッドの左端に位置している太陽ギヤを含み、前記太陽ギヤの右端端面には当接ロッドが設置され、前記スプライン軸には前記当接ロッドの右端に位置しており、且つ前記主カップリングと当接している副カップリングが設置され、前記スプライン軸には前記副カップリングの左端に位置しており、且つ前記当接ロッドと当接している回し輪が設置され、前記回し輪と前記太陽ギヤとの互いに近接している側にはねじりばねが連結され、前記スプライン軸には前記開口溝の左端外側に位置しており、且つ排列して分布されているカムが設置され、前記開口溝の内壁には上下対称の游星ギヤが噛み合って連結され、前記遊星ギヤと前記太陽ギヤとの間が噛み合って連結され、前記開口溝の左端内壁には環状スライドレールが連通して設置され、前記環状スライドレールの中には上側の前記遊星ギヤと回転できるように連結されている加熱棒がスライドできるように連結され、前記環状スライドレールの中には下側の前記遊星ギヤと固定的に連結されている遊星軸がスライドできるように連結され、前記遊星軸には前記開口溝の左端外側に位置している遠心ポンプが設置され、前記回し輪が一定の距離を移動した後で前記当接ロッドと当接して置換を行って遅延機能を実現することを特徴とする請求項１に記載のクリーニング予熱の機能を有する便座上げ器。
【請求項４】
前記クリーニング装置は前記開口溝の左端端面に排列して分布されている貯水箱を含み、前記貯水箱の中には水チャンバが設置され、前記貯水箱の中には水管が連通して設置され、前記水チャンバの底端内壁には排水孔が連通して設置され、前記水チャンバが前記遠心ポンプと連通して連結され、前記水チャンバの頂端内壁には昇降ロッドがスライドできるように連結され、前記昇降ロッドには前記カムと当接している弧状面板が設置され、前記弧状面板と前記貯水箱との互いに近接している側には復帰ばねが連結され、前記昇降ロッドには前記排水孔の中に位置している水遮りボールが設置され、前記貯水箱の中には前記排水孔の前後端に位置している互いに対称となる移動溝が設置され、前記移動溝のうち対称中心に近接している側の内壁には推しロッドがスライドできるように連結され、前記推しロッドには前記水遮りボールと当接しているローラが設置され、前記推しロッドには前記移動溝の中に位置している連結板が設置され、前記連結板と前記移動溝のうち対称中心から離れている側の内壁との間には圧縮ばねが連結され、前記連結板の下端には帚が設置され、前記カムが間欠的に前記弧状面板を推し動かすことにより、前記帚が往復して清掃することを特徴とする請求項１又は請求項３に記載のクリーニング予熱の機能を有する便座上げ器。
【発明の詳細な説明】
【技術分野】
【０００１】
本発明は生活用品技術分野を取り上げて、具体的にはクリーニング予熱の機能を有する便座上げ器である。
【背景技術】
【０００２】
便座が使用された後、通常は水を流すことだけをし、しかし、便座をクリーニングしなく、長期に渡って細菌が増殖する。しかもほとんどの便座が磁器で冷たいので、人が風邪を引きやすい。そのため、便座をクリーニングでき、且つ予熱できる便座上げ器を設計することは業界発展の必然的な成り行きになっている。
【先行技術文献】
【特許文献】
【０００３】
【特許文献１】中国特許出願公開第１０７７５２８９５号明細書
【発明の概要】
【発明が解決しようとする課題】
【０００４】
本発明はクリーニング予熱の機能を有する便座上げ器を提供し、従来技術における上記欠点を解消することを目的とする。
【課題を解決するための手段】
【０００５】
本発明の実施例のクリーニング予熱の機能を有する便座上げ器は、動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、前記開口溝の中には前記接触ロッドの間に位置しており、且つ前記動力装置により制御される置換装置が設置され、その中、前記置換装置の中には前記開口溝の左端内壁と回転できるように連結され、且つ左右に伸びているスプライン軸が設置され、前記開口溝の左端端面には前記スプライン軸の下側に位置しているクリーニング装置が排列して分布されており、その中、前記クリーニング装置は前記置換装置により制御され、前記置換装置がヒンジ板により水平まで回転する時、前記接触ロッドにより前記動力装置を始動し、まず前記クリーニング装置を通じてクリーニングし、また前記置換装置により予熱する。
【０００６】
好ましくは、前記動力装置は、前記伝動チャンバの左端内壁とスライドできるように連結されており、且つ前記接触ロッドと当接しているスイッチロッドを含み、前記伝動チャンバの右端内壁には前記スイッチロッドと当接しているスライダがスライドできるように連結され、前記スライダの互いに近接している側には押圧ばねが連結され、前記スライダにはチェーンロッドがヒンジにより連結され、前記ヒンジロッドのもう一端にはリミット箱がヒンジにより連結され、前記リミット箱が前記伝動チャンバの左端内壁とスライドできるように連結され、前記リミット箱の中には左へ開口した水平移動溝が設置され、前記水平移動溝の右端の中にはモータが設置され、前記モータの左端にはネジ軸が動力が伝達できるように連結され、前記ネジ軸の左端末端には主カップリングが設置され、前記ネジ軸には前記主カップリングの右端に位置している水平移動ブロックがネジ山により連結され、力を受けて推し動かされた前記リミット箱が前記伝動チャンバから前記伝動チャンバの外部まで水平移動し、本装置を使用しない時に隠して収納することにより間違って人を傷つけることを防止する。
【０００７】
好ましくは、前記置換装置は、前記スプライン軸に回転できるように連結されており、且つ前記接触ロッドの左端に位置している太陽ギヤを含み、前記太陽ギヤの右端端面には当接ロッドが設置され、前記スプライン軸には前記当接ロッドの右端に位置しており、且つ前記主カップリングと当接している副カップリングが設置され、前記スプライン軸には前記副カップリングの左端に位置しており、且つ前記当接ロッドと当接している回し輪が設置され、前記回し輪と前記太陽ギヤとの互いに近接している側にはねじりばねが連結され、前記スプライン軸には前記開口溝の左端外側に位置しており、且つ排列して分布されているカムが設置され、前記開口溝の内壁には上下対称の游星ギヤが噛み合って連結され、前記遊星ギヤと前記太陽ギヤとの間が噛み合って連結され、前記開口溝の左端内壁には環状スライドレールが連通して設置され、前記環状スライドレールの中には上側の前記遊星ギヤと回転できるように連結されている加熱棒がスライドできるように連結され、前記環状スライドレールの中には下側の前記遊星ギヤと固定的に連結されている遊星軸がスライドできるように連結され、前記遊星軸には前記開口溝の左端外側に位置している遠心ポンプが設置され、前記回し輪が一定の距離を移動した後で前記当接ロッドと当接して置換を行って遅延機能を実現する。
【０００８】
好ましくは、前記クリーニング装置は前記開口溝の左端端面に排列して分布されている貯水箱を含み、前記貯水箱の中には水チャンバが設置され、前記貯水箱の中には水管が連通して設置され、前記水チャンバの底端内壁には排水孔が連通して設置され、前記水チャンバが前記遠心ポンプと連通して連結され、前記水チャンバの頂端内壁には昇降ロッドがスライドできるように連結され、前記昇降ロッドには前記カムと当接している弧状面板が設置され、前記弧状面板と前記貯水箱との互いに近接している側には復帰ばねが連結され、前記昇降ロッドには前記排水孔の中に位置している水遮りボールが設置され、前記貯水箱の中には前記排水孔の前後端に位置している互いに対称となる移動溝が設置され、前記移動溝のうち対称中心に近接している側の内壁には推しロッドがスライドできるように連結され、前記推しロッドには前記水遮りボールと当接しているローラが設置され、前記推しロッドには前記移動溝の中に位置している連結板が設置され、前記連結板と前記移動溝のうち対称中心から離れている側の内壁との間には圧縮ばねが連結され、前記連結板の下端には帚が設置され、前記カムが間欠的に前記弧状面板を推し動かすことにより、前記帚が往復して清掃する。
【発明の効果】
【０００９】
本発明の有益効果は：本発明は構造が簡単で、操作が便利で、便座上げ器全体の反転角度を調整することにより、隠れている動力源を押し出す。また一定の時間クリーニングした後、クリーニング構造と加熱構造との方向を変え、予熱を実現し、自動的で高効率である。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のクリーニング予熱の機能を有する便座上げ器の全体構成模式図
【図２】図２は図１の「Ａ−Ａ」の構成模式図
【図３】図３は図１の「Ｂ−Ｂ」の構成模式図
【図４】図４は図１の作動しない状態の構成模式図
【発明を実施するための形態】
【００１２】
以下に図１〜４を交えて本発明について詳しく説明する。
【００１３】
本発明の実施例のクリーニング予熱の機能を有する便座上げ器は、動力箱１０を含み、前記動力箱１０の中には伝動チャンバ１１が設置され、前記伝動チャンバ１１の中には動力装置１００が設置され、前記動力箱１０の左端端面には上側に位置しているヒンジ板３７が設置され、前記ヒンジ板３７の左端には連結箱３４が固定的に連結され、前記連結箱３４の中には右へ開口した開口溝３５が設置され、前記開口溝３５の内壁には上下対称の接触ロッド２２が固定的に連結され、且つ前記接触ロッド２２が前記動力装置１００を制御でき、前記開口溝３５の中には前記接触ロッド２２の間に位置しており、且つ前記動力装置１００により制御される置換装置２００が設置され、その中、前記置換装置２００の中には前記開口溝３５の左端内壁と回転できるように連結され、且つ左右に伸びているスプライン軸２５が設置され、前記開口溝３５の左端端面には前記スプライン軸２５の下側に位置しているクリーニング装置３００が排列して分布されており、その中、前記クリーニング装置３００は前記置換装置２００により制御され、前記置換装置２００がヒンジ板３７により水平まで回転する時、前記接触ロッド２２により前記動力装置１００を始動し、まず前記クリーニング装置３００を通じてクリーニングし、また前記置換装置２００により予熱する。
【００１４】
有益的には、前記動力装置１００は、前記伝動チャンバ１１の左端内壁とスライドできるように連結されており、且つ前記接触ロッド２２と当接しているスイッチロッド１８を含み、前記伝動チャンバ１１の右端内壁には前記スイッチロッド１８と当接しているスライダ１２がスライドできるように連結され、前記スライダ１２の互いに近接している側には押圧ばね１３が連結され、前記スライダ１２にはチェーンロッド１４がヒンジにより連結され、前記ヒンジロッド１４のもう一端にはリミット箱１６がヒンジにより連結され、前記リミット箱１６が前記伝動チャンバ１１の左端内壁とスライドできるように連結され、前記リミット箱１６の中には左へ開口した水平移動溝１７が設置され、前記水平移動溝１７の右端の中にはモータ１５が設置され、前記モータ１５の左端にはネジ軸１９が動力が伝達できるように連結され、前記ネジ軸１９の左端末端には主カップリング２１が設置され、前記ネジ軸１９には前記主カップリング２１の右端に位置している水平移動ブロック２０がネジ山により連結され、力を受けて推し動かされた前記リミット箱１６が前記伝動チャンバ１１から前記伝動チャンバ１１の外部まで水平移動し、本装置を使用しない時に隠して収納することにより間違って人を傷つけることを防止する。
【００１５】
有益的には、前記置換装置２００は、前記スプライン軸２５に回転できるように連結されており、且つ前記接触ロッド２２の左端に位置している太陽ギヤ２７を含み、前記太陽ギヤ２７の右端端面には当接ロッド３６が設置され、前記スプライン軸２５には前記当接ロッド３６の右端に位置しており、且つ前記主カップリング２１と当接している副カップリング２３が設置され、前記スプライン軸２５には前記副カップリング２３の左端に位置しており、且つ前記当接ロッド３６と当接している回し輪２４が設置され、前記回し輪２４と前記太陽ギヤ２７との互いに近接している側にはねじりばね２６が連結され、前記スプライン軸２５には前記開口溝３５の左端外側に位置しており、且つ排列して分布されているカム３２が設置され、前記開口溝３５の内壁には上下対称の游星ギヤ２８が噛み合って連結され、前記遊星ギヤ２８と前記太陽ギヤ２７との間が噛み合って連結され、前記開口溝３５の左端内壁には環状スライドレール３０が連通して設置され、前記環状スライドレール３０の中には上側の前記遊星ギヤ２８と回転できるように連結されている加熱棒３３がスライドできるように連結され、前記環状スライドレール３０の中には下側の前記遊星ギヤ２８と固定的に連結されている遊星軸２９がスライドできるように連結され、前記遊星軸２９には前記開口溝３５の左端外側に位置している遠心ポンプ３１が設置され、前記回し輪２４が一定の距離を移動した後で前記当接ロッド３６と当接して置換を行って遅延機能を実現する。
【００１６】
有益的には、前記クリーニング装置３００は前記開口溝３５の左端端面に排列して分布されている貯水箱４０を含み、前記貯水箱４０の中には水チャンバ４３が設置され、前記貯水箱４０の中には水管４１が連通して設置され、前記水チャンバ４３の底端内壁には排水孔４７が連通して設置され、前記水チャンバ４３が前記遠心ポンプ３１と連通して連結され、前記水チャンバ４３の頂端内壁には昇降ロッド４２がスライドできるように連結され、前記昇降ロッド４２には前記カム３２と当接している弧状面板３８が設置され、前記弧状面板３８と前記貯水箱４０との互いに近接している側には復帰ばね３９が連結され、前記昇降ロッド４２には前記排水孔４７の中に位置している水遮りボール４４が設置され、前記貯水箱４０の中には前記排水孔４７の前後端に位置している互いに対称となる移動溝５１が設置され、前記移動溝５１のうち対称中心に近接している側の内壁には推しロッド４６がスライドできるように連結され、前記推しロッド４６には前記水遮りボール４４と当接しているローラ４５が設置され、前記推しロッド４６には前記移動溝５１の中に位置している連結板４９が設置され、前記連結板４９と前記移動溝５１のうち対称中心から離れている側の内壁との間には圧縮ばね４８が連結され、前記連結板４９の下端には帚５０が設置され、前記カム３２が間欠的に前記弧状面板３８を推し動かすことにより、前記帚５０が往復して清掃する。
【００１７】
使用者がトイレを利用する時、本発明の装置は、連結箱３４を動力箱１０との角度が直角になるまで反転し、モータ１５が停止する。
【００１８】
使用者がトイレを利用し終わった後、本発明の装置は、連結箱３４を反転することによりヒンジ板３７が水平な状態に復帰し、この時、接触ロッド２２がスイッチロッド１８を推し動かして右へスライドさせ、スイッチロッド１８がスライダ１２とチェーンロッド１４によりリミット箱１６を推し動かして左へスライドさせ、これにより副カップリング２３が主カップリング２１と当接し、モータ１５を始動してネジ軸１９により主カップリング２１と水平移動ブロック２０とを回転させ、主カップリング２１が順次に副カップリング２３と、回し輪２４と、カム３２とを回転させ、カム３２が弧状面３８との当接により昇降ロッド４２を推し動かして下へ移動させて水を水チャンバ４３から排水孔４７を経由して流出させ、また水遮りボール４４によりローラ４５を推し動かしてスライドさせ、連結板４９により帚５０を連動させて便座を往復して清掃させ、この時、水平移動ブロック２０がネジ山による連結を通じて左へ移動し、且つ水平移動ブロック２０が回し輪２４と当接して回し輪２４を推し動かして左へ回し輪２４が当接ロッド３６と当接して太陽ギヤ２７を連動させて回転させるまでスライドさせ、連結箱３４の回転が制限されるため、遊星ギヤ２８が自転し、且つ太陽ギヤ２７を回って公転し、遊星ギヤ２８が遊星軸２９により遠心ポンプ３１を高速で水を吸い上げ、水管４１により水チャンバ４３にある水を補充し、游星ギヤ２８が半周回転した後、加熱棒３３をスプライン軸２５の下端に位置させ、便座を加熱し、この時、モータ１５が停止し、回し輪２４がねじりばね２６の弾性復元力により復帰する。
【００１９】
本発明の有益効果は：本発明は構造が簡単で、操作が便利で、便座上げ器全体の反転角度を調整することにより、隠れている動力源を押し出す。また一定の時間クリーニングした後、クリーニング構造と加熱構造との方向を変え、予熱を実現し、自動的で高効率である。
【００２０】
以上の方式により、本分野の技術者が本発明の範囲内に作動モードにより各種な変化をすることができる。
【図１】
2020179104.tif 000003
【図２】
2020179104.tif 000004
【図３】
2020179104.tif 000005
【図４】
2020179104.tif 000006
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
正面視で、動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、前記開口溝の中には前記接触ロッドの間に位置しており、且つ前記動力装置により制御される置換装置が設置され、前記置換装置の中には前記開口溝の左端内壁と回転できるように連結され、且つ左右に伸びているスプライン軸が設置され、前記開口溝の左端端面には前記スプライン軸の下側に位置しているクリーニング装置が排列して分布されており、前記クリーニング装置は前記置換装置により制御され、
前記動力装置は、前記伝動チャンバの左端内壁とスライドできるように連結されており、且つ前記接触ロッドと当接しているスイッチロッドを含み、前記伝動チャンバの右端内壁には前記スイッチロッドと当接しているスライダがスライドできるように連結され、前記スライダの互いに近接している側には押圧ばねが連結され、前記スライダにはチェーンロッドがヒンジにより連結され、前記チェーンロッドのもう一端にはリミット箱がヒンジにより連結され、前記リミット箱が前記伝動チャンバの左端内壁とスライドできるように連結され、前記リミット箱の中には左へ開口した水平移動溝が設置され、前記水平移動溝の右端の中にはモータが設置され、前記モータの左端にはネジ軸が動力が伝達できるように連結され、前記ネジ軸の左端末端には主カップリングが設置され、前記ネジ軸には前記主カップリングの右端に位置している水平移動ブロックがネジ山により連結され、力を受けて推し動かされた前記リミット箱が前記伝動チャンバから前記伝動チャンバの外部まで水平移動し、
前記置換装置は、前記スプライン軸に回転できるように連結されており、且つ前記接触ロッドの左端に位置している太陽ギヤを含み、前記太陽ギヤの右端端面には当接ロッドが設置され、前記スプライン軸には前記当接ロッドの右端に位置しており、且つ前記主カップリングと当接している副カップリングが設置され、前記スプライン軸には前記副カップリングの左端に位置しており、且つ前記当接ロッドと当接している回し輪が設置され、前記回し輪と前記太陽ギヤとの互いに近接している側にはねじりばねが連結され、前記スプライン軸には前記開口溝の左端外側に位置しており、且つ排列して分布されているカムが設置され、前記開口溝の内壁には上下対称の遊星ギヤが噛み合って連結され、前記遊星ギヤと前記太陽ギヤとの間が噛み合って連結され、前記開口溝の左端内壁には環状スライドレールが連通して設置され、前記環状スライドレールの中には上側の前記遊星ギヤと回転できるように連結されている加熱棒がスライドできるように連結され、前記環状スライドレールの中には下側の前記遊星ギヤと固定的に連結されている遊星軸がスライドできるように連結され、前記遊星軸には前記開口溝の左端外側に位置している遠心ポンプが設置され、
前記クリーニング装置は前記開口溝の左端端面に排列して分布されている貯水箱を含み、前記貯水箱の中には水チャンバが設置され、前記貯水箱の中には水管が連通して設置され、前記水チャンバの底端内壁には排水孔が連通して設置され、前記水チャンバが前記遠心ポンプと連通して連結され、前記水チャンバの頂端内壁には昇降ロッドがスライドできるように連結され、前記昇降ロッドには前記カムと当接している弧状面板が設置され、前記弧状面板と前記貯水箱との互いに近接している側には復帰ばねが連結され、前記昇降ロッドには前記排水孔の中に位置している水遮りボールが設置され、前記貯水箱の中には前記排水孔の前後端に位置している互いに対称となる移動溝が設置され、前記移動溝のうち対称中心に近接している側の内壁には推しロッドがスライドできるように連結され、前記推しロッドには前記水遮りボールと当接しているローラが設置され、前記推しロッドには前記移動溝の中に位置している連結板が設置され、前記連結板と前記移動溝のうち対称中心から離れている側の内壁との間には圧縮ばねが連結され、前記連結板の下端には帚が設置され、前記カムが間欠的に前記弧状面板を推し動かすことにより、前記帚が往復して清掃することを特徴とする請求項１又は請求項３に記載のクリーニング予熱の機能を有する便座上げ器。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはクリーニング予熱の機能を有する便座上げ器である。
【背景技術】
【０００２】
便座が使用された後、通常は水を流すことだけをし、しかし、便座をクリーニングしなく、長期に渡って細菌が増殖する。しかもほとんどの便座が磁器で冷たいので、人が風邪を引きやすい。そのため、便座をクリーニングでき、且つ予熱できる便座上げ器を設計することは業界発展の必然的な成り行きになっている。
【先行技術文献】
【特許文献】
【０００３】
【特許文献１】中国特許出願公開第１０７７５２８９５号明細書
【発明の概要】
【発明が解決しようとする課題】
【０００４】
本発明はクリーニング予熱の機能を有する便座上げ器を提供し、従来技術における上記欠点を解消することを目的とする。
【課題を解決するための手段】
【０００５】
本発明の実施例のクリーニング予熱の機能を有する便座上げ器は、動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、前記開口溝の中には前記接触ロッドの間に位置しており、且つ前記動力装置により制御される置換装置が設置され、前記置換装置の中には前記開口溝の左端内壁と回転できるように連結され、且つ左右に伸びているスプライン軸が設置され、前記開口溝の左端端面には前記スプライン軸の下側に位置しているクリーニング装置が排列して分布されており、前記クリーニング装置は前記置換装置により制御される。
【０００６】
好ましくは、前記動力装置は、前記伝動チャンバの左端内壁とスライドできるように連結されており、且つ前記接触ロッドと当接しているスイッチロッドを含み、前記伝動チャンバの右端内壁には前記スイッチロッドと当接しているスライダがスライドできるように連結され、前記スライダの互いに近接している側には押圧ばねが連結され、前記スライダにはチェーンロッドがヒンジにより連結され、前記チェーンロッドのもう一端にはリミット箱がヒンジにより連結され、前記リミット箱が前記伝動チャンバの左端内壁とスライドできるように連結され、前記リミット箱の中には左へ開口した水平移動溝が設置され、前記水平移動溝の右端の中にはモータが設置され、前記モータの左端にはネジ軸が動力が伝達できるように連結され、前記ネジ軸の左端末端には主カップリングが設置され、前記ネジ軸には前記主カップリングの右端に位置している水平移動ブロックがネジ山により連結され、力を受けて推し動かされた前記リミット箱が前記伝動チャンバから前記伝動チャンバの外部まで水平移動する。
【０００７】
好ましくは、前記置換装置は、前記スプライン軸に回転できるように連結されており、且つ前記接触ロッドの左端に位置している太陽ギヤを含み、前記太陽ギヤの右端端面には当接ロッドが設置され、前記スプライン軸には前記当接ロッドの右端に位置しており、且つ前記主カップリングと当接している副カップリングが設置され、前記スプライン軸には前記副カップリングの左端に位置しており、且つ前記当接ロッドと当接している回し輪が設置され、前記回し輪と前記太陽ギヤとの互いに近接している側にはねじりばねが連結され、前記スプライン軸には前記開口溝の左端外側に位置しており、且つ排列して分布されているカムが設置され、前記開口溝の内壁には上下対称の遊星ギヤが噛み合って連結され、前記遊星ギヤと前記太陽ギヤとの間が噛み合って連結され、前記開口溝の左端内壁には環状スライドレールが連通して設置され、前記環状スライドレールの中には上側の前記遊星ギヤと回転できるように連結されている加熱棒がスライドできるように連結され、前記環状スライドレールの中には下側の前記遊星ギヤと固定的に連結されている遊星軸がスライドできるように連結され、前記遊星軸には前記開口溝の左端外側に位置している遠心ポンプが設置される。
【０００８】
好ましくは、前記クリーニング装置は前記開口溝の左端端面に排列して分布されている貯水箱を含み、前記貯水箱の中には水チャンバが設置され、前記貯水箱の中には水管が連通して設置され、前記水チャンバの底端内壁には排水孔が連通して設置され、前記水チャンバが前記遠心ポンプと連通して連結され、前記水チャンバの頂端内壁には昇降ロッドがスライドできるように連結され、前記昇降ロッドには前記カムと当接している弧状面板が設置され、前記弧状面板と前記貯水箱との互いに近接している側には復帰ばねが連結され、前記昇降ロッドには前記排水孔の中に位置している水遮りボールが設置され、前記貯水箱の中には前記排水孔の前後端に位置している互いに対称となる移動溝が設置され、前記移動溝のうち対称中心に近接している側の内壁には推しロッドがスライドできるように連結され、前記推しロッドには前記水遮りボールと当接しているローラが設置され、前記推しロッドには前記移動溝の中に位置している連結板が設置され、前記連結板と前記移動溝のうち対称中心から離れている側の内壁との間には圧縮ばねが連結され、前記連結板の下端には帚が設置され、前記カムが間欠的に前記弧状面板を推し動かすことにより、前記帚が往復して清掃する。
【発明の効果】
【０００９】
本発明の有益効果は：本発明は構造が簡単で、操作が便利で、便座上げ器全体の反転角度を調整することにより、隠れている動力源を押し出す。また一定の時間クリーニングした後、クリーニング構造と加熱構造との方向を変え、予熱を実現し、自動的で高効率である。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のクリーニング予熱の機能を有する便座上げ器の全体構成模式    図
【図２】図２は図１の「Ａ−Ａ」の構成模式図
【図３】図３は図１の「Ｂ−Ｂ」の構成模式図
【図４】図４は図１の作動しない状態の構成模式図
【発明を実施するための形態】
【００１２】
以下に図１〜４を交えて本発明について詳しく説明する。
【００１３】
本発明の実施例のクリーニング予熱の機能を有する便座上げ器は、動力箱１０を含み、前記動力箱１０の中には伝動チャンバ１１が設置され、前記伝動チャンバ１１の中には動力装置１００が設置され、前記動力箱１０の左端端面には上側に位置しているヒンジ板３７が設置され、前記ヒンジ板３７の左端には連結箱３４が固定的に連結され、前記連結箱３４の中には右へ開口した開口溝３５が設置され、前記開口溝３５の内壁には上下対称の接触ロッド２２が固定的に連結され、且つ前記接触ロッド２２が前記動力装置１００を制御でき、前記開口溝３５の中には前記接触ロッド２２の間に位置しており、且つ前記動力装置１００により制御される置換装置２００が設置され、前記置換装置２００の中には前記開口溝３５の左端内壁と回転できるように連結され、且つ左右に伸びているスプライン軸２５が設置され、前記開口溝３５の左端端面には前記スプライン軸２５の下側に位置しているクリーニング装置３００が排列して分布されており、前記クリーニング装置３００は前記置換装置２００により制御される。
【００１４】
有益的には、前記動力装置１００は、前記伝動チャンバ１１の左端内壁とスライドできるように連結されており、且つ前記接触ロッド２２と当接しているスイッチロッド１８を含み、前記伝動チャンバ１１の右端内壁には前記スイッチロッド１８と当接しているスライダ１２がスライドできるように連結され、前記スライダ１２の互いに近接している側には押圧ばね１３が連結され、前記スライダ１２にはチェーンロッド１４がヒンジにより連結され、前記チェーンロッド１４のもう一端にはリミット箱１６がヒンジにより連結され、前記リミット箱１６が前記伝動チャンバ１１の左端内壁とスライドできるように連結され、前記リミット箱１６の中には左へ開口した水平移動溝１７が設置され、前記水平移動溝１７の右端の中にはモータ１５が設置され、前記モータ１５の左端にはネジ軸１９が動力が伝達できるように連結され、前記ネジ軸１９の左端末端には主カップリング２１が設置され、前記ネジ軸１９には前記主カップリング２１の右端に位置している水平移動ブロック２０がネジ山により連結され、力を受けて推し動かされた前記リミット箱１６が前記伝動チャンバ１１から前記伝動チャンバ１１の外部まで水平移動する。
【００１５】
有益的には、前記置換装置２００は、前記スプライン軸２５に回転できるように連結されており、且つ前記接触ロッド２２の左端に位置している太陽ギヤ２７を含み、前記太陽ギヤ２７の右端端面には当接ロッド３６が設置され、前記スプライン軸２５には前記当接ロッド３６の右端に位置しており、且つ前記主カップリング２１と当接している副カップリング２３が設置され、前記スプライン軸２５には前記副カップリング２３の左端に位置しており、且つ前記当接ロッド３６と当接している回し輪２４が設置され、前記回し輪２４と前記太陽ギヤ２７との互いに近接している側にはねじりばね２６が連結され、前記スプライン軸２５には前記開口溝３５の左端外側に位置しており、且つ排列して分布されているカム３２が設置され、前記開口溝３５の内壁には上下対称の遊星ギヤ２８が噛み合って連結され、前記遊星ギヤ２８と前記太陽ギヤ２７との間が噛み合って連結され、前記開口溝３５の左端内壁には環状スライドレール３０が連通して設置され、前記環状スライドレール３０の中には上側の前記遊星ギヤ２８と回転できるように連結されている加熱棒３３がスライドできるように連結され、前記環状スライドレール３０の中には下側の前記遊星ギヤ２８と固定的に連結されている遊星軸２９がスライドできるように連結され、前記遊星軸２９には前記開口溝３５の左端外側に位置している遠心ポンプ３１が設置される。
【００１６】
有益的には、前記クリーニング装置３００は前記開口溝３５の左端端面に排列して分布されている貯水箱４０を含み、前記貯水箱４０の中には水チャンバ４３が設置され、前記貯水箱４０の中には水管４１が連通して設置され、前記水チャンバ４３の底端内壁には排水孔４７が連通して設置され、前記水チャンバ４３が前記遠心ポンプ３１と連通して連結され、前記水チャンバ４３の頂端内壁には昇降ロッド４２がスライドできるように連結され、前記昇降ロッド４２には前記カム３２と当接している弧状面板３８が設置され、前記弧状面板３８と前記貯水箱４０との互いに近接している側には復帰ばね３９が連結され、前記昇降ロッド４２には前記排水孔４７の中に位置している水遮りボール４４が設置され、前記貯水箱４０の中には前記排水孔４７の前後端に位置している互いに対称となる移動溝５１が設置され、前記移動溝５１のうち対称中心に近接している側の内壁には推しロッド４６がスライドできるように連結され、前記推しロッド４６には前記水遮りボール４４と当接しているローラ４５が設置され、前記推しロッド４６には前記移動溝５１の中に位置している連結板４９が設置され、前記連結板４９と前記移動溝５１のうち対称中心から離れている側の内壁との間には圧縮ばね４８が連結され、前記連結板４９の下端には帚５０が設置され、前記カム３２が間欠的に前記弧状面板３８を推し動かすことにより、前記帚５０が往復して清掃する。
【００１７】
使用者がトイレを利用する時、本発明の装置は、連結箱３４を動力箱１０との角度が直角になるまで反転し、モータ１５が停止する。
【００１８】
使用者がトイレを利用し終わった後、本発明の装置は、連結箱３４を反転することによりヒンジ板３７が水平な状態に復帰し、この時、接触ロッド２２がスイッチロッド１８を推し動かして右へスライドさせ、スイッチロッド１８がスライダ１２とチェーンロッド１４によりリミット箱１６を推し動かして左へスライドさせ、これにより副カップリング２３が主カップリング２１と当接し、モータ１５を始動してネジ軸１９により主カップリング２１と水平移動ブロック２０とを回転させ、主カップリング２１が順次に副カップリング２３と、回し輪２４と、カム３２とを回転させ、カム３２が弧状面３８との当接により昇降ロッド４２を推し動かして下へ移動させて水を水チャンバ４３から排水孔４７を経由して流出させ、また水遮りボール４４によりローラ４５を推し動かしてスライドさせ、連結板４９により帚５０を連動させて便座を往復して清掃させ、この時、水平移動ブロック２０がネジ山による連結を通じて左へ移動して主カップリング２１と副カップリング２３を超えてから回し輪２４と当接して回し輪２４を推し動かして左へ回し輪２４が当接ロッド３６と当接して太陽ギヤ２７を連動させて回転させるまでスライドさせ、連結箱３４の回転が制限されるため、遊星ギヤ２８が自転し、且つ太陽ギヤ２７を回って公転し、遊星ギヤ２８が回転して遊星軸２９により遠心ポンプ３１の内部の羽根車を高速回転させて水を吸い上げ、水管４１により水チャンバ４３にある水を補充し、遊星ギヤ２８が半周回転した後、加熱棒３３をスプライン軸２５の下端に位置させ、便座を加熱し、この時、モータ１５が停止し、回し輪２４がねじりばね２６の弾性復元力により復帰する。
【００１９】
本発明の有益効果は：本発明は構造が簡単で、操作が便利で、便座上げ器全体の反転角度を調整することにより、隠れている動力源を押し出す。また一定の時間クリーニングした後、クリーニング構造と加熱構造との方向を変え、予熱を実現し、自動的で高効率である。
【００２０】
以上の方式により、本分野の技術者が本発明の範囲内に作動モードにより各種な変化をすることができる。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
正面視で、動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、前記開口溝の中には前記接触ロッドの間に位置しており、且つ前記動力装置により制御される置換装置が設置され、前記置換装置の中には前記開口溝の左端内壁と回転できるように連結され、且つ左右に伸びているスプライン軸が設置され、前記開口溝の左端端面には前記スプライン軸の下側に位置しているクリーニング装置が排列して分布されており、前記クリーニング装置は前記置換装置により制御され、
前記動力装置は、前記伝動チャンバの左端内壁とスライドできるように連結されており、且つ前記接触ロッドと当接しているスイッチロッドを含み、前記伝動チャンバの右端内壁には前記スイッチロッドと当接しているスライダがスライドできるように連結され、前記スライダの互いに近接している側には押圧ばねが連結され、前記スライダにはチェーンロッドがヒンジにより連結され、前記チェーンロッドのもう一端にはリミット箱がヒンジにより連結され、前記リミット箱が前記伝動チャンバの左端内壁とスライドできるように連結され、前記リミット箱の中には左へ開口した水平移動溝が設置され、前記水平移動溝の右端の中にはモータが設置され、前記モータの左端にはネジ軸が動力が伝達できるように連結され、前記ネジ軸の左端末端には主カップリングが設置され、前記ネジ軸には前記主カップリングの右端に位置している水平移動ブロックがネジ山により連結され、力を受けて推し動かされた前記リミット箱が前記伝動チャンバから前記伝動チャンバの外部まで水平移動し、
前記置換装置は、前記スプライン軸に回転できるように連結されており、且つ前記接触ロッドの左端に位置している太陽ギヤを含み、前記太陽ギヤの右端端面には当接ロッドが設置され、前記スプライン軸には前記当接ロッドの右端に位置しており、且つ前記主カップリングと当接している副カップリングが設置され、前記スプライン軸には前記副カップリングの左端に位置しており、且つ前記当接ロッドと当接している回し輪が設置され、前記回し輪と前記太陽ギヤとの互いに近接している側にはねじりばねが連結され、前記スプライン軸には前記開口溝の左端外側に位置しており、且つ排列して分布されているカムが設置され、前記開口溝の内壁には上下対称の遊星ギヤが噛み合って連結され、前記遊星ギヤと前記太陽ギヤとの間が噛み合って連結され、前記開口溝の左端内壁には環状スライドレールが連通して設置され、前記環状スライドレールの中には上側の前記遊星ギヤと回転できるように連結されている加熱棒がスライドできるように連結され、前記環状スライドレールの中には下側の前記遊星ギヤと固定的に連結されている遊星軸がスライドできるように連結され、前記遊星軸には前記開口溝の左端外側に位置している遠心ポンプが設置され、
前記クリーニング装置は前記開口溝の左端端面に排列して分布されている貯水箱を含み、前記貯水箱の中には水チャンバが設置され、前記貯水箱の中には水管が連通して設置され、前記水チャンバの底端内壁には排水孔が連通して設置され、前記水チャンバが前記遠心ポンプと連通して連結され、前記水チャンバの頂端内壁には昇降ロッドがスライドできるように連結され、前記昇降ロッドには前記カムと当接している弧状面板が設置され、前記弧状面板と前記貯水箱との互いに近接している側には復帰ばねが連結され、前記昇降ロッドには前記排水孔の中に位置している水遮りボールが設置され、前記貯水箱の中には前記排水孔の前後端に位置している互いに対称となる移動溝が設置され、前記移動溝のうち対称中心に近接している側の内壁には推しロッドがスライドできるように連結され、前記推しロッドには前記水遮りボールと当接しているローラが設置され、前記推しロッドには前記移動溝の中に位置している連結板が設置され、前記連結板と前記移動溝のうち対称中心から離れている側の内壁との間には圧縮ばねが連結され、前記連結板の下端には帚が設置され、前記カムが間欠的に前記弧状面板を推し動かすことにより、前記帚が往復して清掃することを特徴とする便座に対するクリーニング予熱の機能を有する設備。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的には便座に対するクリーニング予熱の機能を有する設備である。
【背景技術】
【０００２】
便座が使用された後、通常は水を流すことだけをし、しかし、便座をクリーニングしなく、長期に渡って細菌が増殖する。しかもほとんどの便座が磁器で冷たいので、人が風邪を引きやすい。そのため、便座をクリーニングでき、且つ予熱できる設備を設計することは業界発展の必然的な成り行きになっている。
【先行技術文献】
【特許文献】
【０００３】
【特許文献１】中国特許出願公開第１０７７５２８９５号明細書
【発明の概要】
【発明が解決しようとする課題】
【０００４】
本発明は便座に対するクリーニング予熱の機能を有する設備を提供し、従来技術における上記欠点を解消することを目的とする。
【課題を解決するための手段】
【０００５】
本発明の実施例の便座に対するクリーニング予熱の機能を有する設備は、動力箱を含み、前記動力箱の中には伝動チャンバが設置され、前記伝動チャンバの中には動力装置が設置され、前記動力箱の左端端面には上側に位置しているヒンジ板が設置され、前記ヒンジ板の左端には連結箱が固定的に連結され、前記連結箱の中には右へ開口した開口溝が設置され、前記開口溝の内壁には上下対称の接触ロッドが固定的に連結され、且つ前記接触ロッドが前記動力装置を制御でき、前記開口溝の中には前記接触ロッドの間に位置しており、且つ前記動力装置により制御される置換装置が設置され、前記置換装置の中には前記開口溝の左端内壁と回転できるように連結され、且つ左右に伸びているスプライン軸が設置され、前記開口溝の左端端面には前記スプライン軸の下側に位置しているクリーニング装置が排列して分布されており、前記クリーニング装置は前記置換装置により制御される。
【０００６】
好ましくは、前記動力装置は、前記伝動チャンバの左端内壁とスライドできるように連結されており、且つ前記接触ロッドと当接しているスイッチロッドを含み、前記伝動チャンバの右端内壁には前記スイッチロッドと当接しているスライダがスライドできるように連結され、前記スライダの互いに近接している側には押圧ばねが連結され、前記スライダにはチェーンロッドがヒンジにより連結され、前記チェーンロッドのもう一端にはリミット箱がヒンジにより連結され、前記リミット箱が前記伝動チャンバの左端内壁とスライドできるように連結され、前記リミット箱の中には左へ開口した水平移動溝が設置され、前記水平移動溝の右端の中にはモータが設置され、前記モータの左端にはネジ軸が動力が伝達できるように連結され、前記ネジ軸の左端末端には主カップリングが設置され、前記ネジ軸には前記主カップリングの右端に位置している水平移動ブロックがネジ山により連結され、力を受けて推し動かされた前記リミット箱が前記伝動チャンバから前記伝動チャンバの外部まで水平移動する。
【０００７】
好ましくは、前記置換装置は、前記スプライン軸に回転できるように連結されており、且つ前記接触ロッドの左端に位置している太陽ギヤを含み、前記太陽ギヤの右端端面には当接ロッドが設置され、前記スプライン軸には前記当接ロッドの右端に位置しており、且つ前記主カップリングと当接している副カップリングが設置され、前記スプライン軸には前記副カップリングの左端に位置しており、且つ前記当接ロッドと当接している回し輪が設置され、前記回し輪と前記太陽ギヤとの互いに近接している側にはねじりばねが連結され、前記スプライン軸には前記開口溝の左端外側に位置しており、且つ排列して分布されているカムが設置され、前記開口溝の内壁には上下対称の遊星ギヤが噛み合って連結され、前記遊星ギヤと前記太陽ギヤとの間が噛み合って連結され、前記開口溝の左端内壁には環状スライドレールが連通して設置され、前記環状スライドレールの中には上側の前記遊星ギヤと回転できるように連結されている加熱棒がスライドできるように連結され、前記環状スライドレールの中には下側の前記遊星ギヤと固定的に連結されている遊星軸がスライドできるように連結され、前記遊星軸には前記開口溝の左端外側に位置している遠心ポンプが設置される。
【０００８】
好ましくは、前記クリーニング装置は前記開口溝の左端端面に排列して分布されている貯水箱を含み、前記貯水箱の中には水チャンバが設置され、前記貯水箱の中には水管が連通して設置され、前記水チャンバの底端内壁には排水孔が連通して設置され、前記水チャンバが前記遠心ポンプと連通して連結され、前記水チャンバの頂端内壁には昇降ロッドがスライドできるように連結され、前記昇降ロッドには前記カムと当接している弧状面板が設置され、前記弧状面板と前記貯水箱との互いに近接している側には復帰ばねが連結され、前記昇降ロッドには前記排水孔の中に位置している水遮りボールが設置され、前記貯水箱の中には前記排水孔の前後端に位置している互いに対称となる移動溝が設置され、前記移動溝のうち対称中心に近接している側の内壁には推しロッドがスライドできるように連結され、前記推しロッドには前記水遮りボールと当接しているローラが設置され、前記推しロッドには前記移動溝の中に位置している連結板が設置され、前記連結板と前記移動溝のうち対称中心から離れている側の内壁との間には圧縮ばねが連結され、前記連結板の下端には帚が設置され、前記カムが間欠的に前記弧状面板を推し動かすことにより、前記帚が往復して清掃する。
【発明の効果】
【０００９】
本発明の有益効果は：本発明は構造が簡単で、操作が便利で、しばらく便座をクリーニングした後、クリーニング構造と加熱構造との方向を変え、予熱を実現し、自動化で高効率である。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の便座に対するクリーニング予熱の機能を有する設備の全体構成模式図
【図２】図２は図１の「Ａ−Ａ」の構成模式図
【図３】図３は図１の「Ｂ−Ｂ」の構成模式図
【図４】図４は図１の作動しない状態の構成模式図
【発明を実施するための形態】
【００１２】
以下に図１〜４を交えて本発明について詳しく説明する。
【００１３】
本発明の実施例の便座に対するクリーニング予熱の機能を有する設備は、動力箱１０を含み、前記動力箱１０の中には伝動チャンバ１１が設置され、前記伝動チャンバ１１の中には動力装置１００が設置され、前記動力箱１０の左端端面には上側に位置しているヒンジ板３７が設置され、前記ヒンジ板３７の左端には連結箱３４が固定的に連結され、前記連結箱３４の中には右へ開口した開口溝３５が設置され、前記開口溝３５の内壁には上下対称の接触ロッド２２が固定的に連結され、且つ前記接触ロッド２２が前記動力装置１００を制御でき、前記開口溝３５の中には前記接触ロッド２２の間に位置しており、且つ前記動力装置１００により制御される置換装置２００が設置され、前記置換装置２００の中には前記開口溝３５の左端内壁と回転できるように連結され、且つ左右に伸びているスプライン軸２５が設置され、前記開口溝３５の左端端面には前記スプライン軸２５の下側に位置しているクリーニング装置３００が排列して分布されており、前記クリーニング装置３００は前記置換装置２００により制御される。
【００１４】
有益的には、前記動力装置１００は、前記伝動チャンバ１１の左端内壁とスライドできるように連結されており、且つ前記接触ロッド２２と当接しているスイッチロッド１８を含み、前記伝動チャンバ１１の右端内壁には前記スイッチロッド１８と当接しているスライダ１２がスライドできるように連結され、前記スライダ１２の互いに近接している側には押圧ばね１３が連結され、前記スライダ１２にはチェーンロッド１４がヒンジにより連結され、前記チェーンロッド１４のもう一端にはリミット箱１６がヒンジにより連結され、前記リミット箱１６が前記伝動チャンバ１１の左端内壁とスライドできるように連結され、前記リミット箱１６の中には左へ開口した水平移動溝１７が設置され、前記水平移動溝１７の右端の中にはモータ１５が設置され、前記モータ１５の左端にはネジ軸１９が動力が伝達できるように連結され、前記ネジ軸１９の左端末端には主カップリング２１が設置され、前記ネジ軸１９には前記主カップリング２１の右端に位置している水平移動ブロック２０がネジ山により連結され、力を受けて推し動かされた前記リミット箱１６が前記伝動チャンバ１１から前記伝動チャンバ１１の外部まで水平移動する。
【００１５】
有益的には、前記置換装置２００は、前記スプライン軸２５に回転できるように連結されており、且つ前記接触ロッド２２の左端に位置している太陽ギヤ２７を含み、前記太陽ギヤ２７の右端端面には当接ロッド３６が設置され、前記スプライン軸２５には前記当接ロッド３６の右端に位置しており、且つ前記主カップリング２１と当接している副カップリング２３が設置され、前記スプライン軸２５には前記副カップリング２３の左端に位置しており、且つ前記当接ロッド３６と当接している回し輪２４が設置され、前記回し輪２４と前記太陽ギヤ２７との互いに近接している側にはねじりばね２６が連結され、前記スプライン軸２５には前記開口溝３５の左端外側に位置しており、且つ排列して分布されているカム３２が設置され、前記開口溝３５の内壁には上下対称の遊星ギヤ２８が噛み合って連結され、前記遊星ギヤ２８と前記太陽ギヤ２７との間が噛み合って連結され、前記開口溝３５の左端内壁には環状スライドレール３０が連通して設置され、前記環状スライドレール３０の中には上側の前記遊星ギヤ２８と回転できるように連結されている加熱棒３３がスライドできるように連結され、前記環状スライドレール３０の中には下側の前記遊星ギヤ２８と固定的に連結されている遊星軸２９がスライドできるように連結され、前記遊星軸２９には前記開口溝３５の左端外側に位置している遠心ポンプ３１が設置される。
【００１６】
有益的には、前記クリーニング装置３００は前記開口溝３５の左端端面に排列して分布されている貯水箱４０を含み、前記貯水箱４０の中には水チャンバ４３が設置され、前記貯水箱４０の中には水管４１が連通して設置され、前記水チャンバ４３の底端内壁には排水孔４７が連通して設置され、前記水チャンバ４３が前記遠心ポンプ３１と連通して連結され、前記水チャンバ４３の頂端内壁には昇降ロッド４２がスライドできるように連結され、前記昇降ロッド４２には前記カム３２と当接している弧状面板３８が設置され、前記弧状面板３８と前記貯水箱４０との互いに近接している側には復帰ばね３９が連結され、前記昇降ロッド４２には前記排水孔４７の中に位置している水遮りボール４４が設置され、前記貯水箱４０の中には前記排水孔４７の前後端に位置している互いに対称となる移動溝５１が設置され、前記移動溝５１のうち対称中心に近接している側の内壁には推しロッド４６がスライドできるように連結され、前記推しロッド４６には前記水遮りボール４４と当接しているローラ４５が設置され、前記推しロッド４６には前記移動溝５１の中に位置している連結板４９が設置され、前記連結板４９と前記移動溝５１のうち対称中心から離れている側の内壁との間には圧縮ばね４８が連結され、前記連結板４９の下端には帚５０が設置され、前記カム３２が間欠的に前記弧状面板３８を推し動かすことにより、前記帚５０が往復して清掃する。
【００１７】
初期状態において、帚５０が便座の上側に位置し且つ便座と接触しており、トイレを利用する時に連結箱３４を動力箱１０との角度が直角になるまで翻転させて、そしてモータ１５を止めることで帚５０を便座から離れるように運動させて便座の上側に位置させる。
【００１８】
使用者がトイレを利用し終わった後、本発明の装置は、連結箱３４を反転することによりヒンジ板３７が水平な状態に復帰し、この時、接触ロッド２２がスイッチロッド１８を推し動かして右へスライドさせ、スイッチロッド１８がスライダ１２とチェーンロッド１４によりリミット箱１６を推し動かして左へスライドさせ、これにより副カップリング２３が主カップリング２１と当接し、モータ１５を始動してネジ軸１９により主カップリング２１と水平移動ブロック２０とを回転させ、主カップリング２１が順次に副カップリング２３と、回し輪２４と、カム３２とを回転させ、カム３２が弧状面３８との当接により昇降ロッド４２を推し動かして下へ移動させて水を水チャンバ４３から排水孔４７を経由して流出させ、また水遮りボール４４によりローラ４５を推し動かしてスライドさせ、連結板４９により帚５０を連動させて便座を往復して清掃させ、この時、水平移動ブロック２０がネジ山による連結を通じて左へ移動して主カップリング２１と副カップリング２３を超えてから回し輪２４と当接して回し輪２４を推し動かして左へ回し輪２４が当接ロッド３６と当接して太陽ギヤ２７を連動させて回転させるまでスライドさせ、連結箱３４の回転が制限されるため、遊星ギヤ２８が自転し、且つ太陽ギヤ２７を回って公転し、遊星ギヤ２８が回転して遊星軸２９により遠心ポンプ３１の内部の羽根車を高速回転させて水を吸い上げ、水管４１により水チャンバ４３にある水を補充し、遊星ギヤ２８が半周回転した後、加熱棒３３をスプライン軸２５の下端に位置させ、便座を加熱し、この時、モータ１５が停止し、回し輪２４がねじりばね２６の弾性復元力により復帰する。
【００１９】
本発明の有益効果は：本発明は構造が簡単で、操作が便利で、便座上げ器全体の反転角度を調整することにより、隠れている動力源を押し出す。また一定の時間クリーニングした後、クリーニング構造と加熱構造との方向を変え、予熱を実現し、自動的で高効率である。
【００２０】
以上の方式により、本分野の技術者が本発明の範囲内に作動モードにより各種な変化をすることができる。